(57)【要約】【課題】家屋の天井部分と浴室の天井部分の間の空間に設置されても、本体の取付け角度を容易に確認することができる換気空調装置を提供することを目的としている。【解決手段】本体に圧縮機１と凝縮コイル２減圧機構３と蒸発コイル４からなる冷凍サイクルと傾斜指示手段１２を備えたことにより、本体の取付け角度を容易に確認することができ、傾き調整をできることから、施工者の作業時間の短縮と圧縮機のオイル切れや異常振動などを抑制しつつ、排水性能も確保することができるという効果のある換気空調装置を提供できる。【選択図】図１
2009144981.tif 000002
【特許請求の範囲】
【請求項１】
本体に圧縮機と凝縮コイルと減圧機構と蒸発コイルからなる冷凍サイクルと傾斜指示手段を備えたことを特徴とする換気空調装置。
【請求項２】
傾斜指示手段は重力にて垂直方向を示すものとしたこと特徴とする請求項１に記載の換気空調装置。
【請求項３】
傾斜指示手段は本体の水平方向に対して１方向のみを示すことを特徴とする請求項２に記載の換気空調装置。
【請求項４】
傾斜指示手段は本体の水平に対して２方向を同時に示すことを特徴とする請求項２に記載の換気空調装置。
【請求項５】
設置工事やメンテナンスの際に外す必要のある脱着部材を傾斜指示手段の下方に取り付けたことを特徴とする請求項３および請求項４に記載の換気空調装置。
【請求項６】
傾斜指示手段は水と少量の空気含んだ密閉容器からなる構成としたことを特徴とする請求項１に記載の換気空調装置。
【請求項７】
取付け傾斜許容範囲を示す調整範囲手段を設けたことを特徴とする請求項２および、請求項６に記載の換気空調装置。
【請求項８】
傾斜指示手段は傾斜角度を電気信号に変換し示すものとしたことを特徴とした請求項１に記載の換気空調装置。
【請求項９】
傾斜指示手段より得られた取付け角度信号を表示する表示手段を設けたことを特徴とする請求項８に記載の換気空調装置。
【請求項１０】
傾斜指示手段より得られた取付け角度信号を音として伝達する発報手段を設けたことを特徴とする請求項８に記載の換気空調装置。
【請求項１１】
傾斜指示手段より得られた取付け角度信号を受信し、この信号を基に機器の発停を制御する制御手段を設けたことを特徴とする請求項８に記載の換気空調装置。
【発明の詳細な説明】
【技術分野】
【０００１】
本発明は、ヒートポンプを利用して浴室などの換気空調を行う換気空調装置に関するものである。
【背景技術】
【０００２】
従来、この種のヒートポンプを利用した浴室などの換気空調装置としては、浴室以外から取り入れられた空気に対してヒートポンプの一方の熱交換器が放熱（または吸熱）を行い、その空気を浴室内に吹出すとともに、ヒートポンプの他方の熱交換器が浴室から屋外に排出される空気に対して吸熱（または放熱）することで浴室を空調するものがある（例えば、特許文献１参照）。
【特許文献１】特開２００５−１８０７１２号公報
【発明の開示】
【発明が解決しようとする課題】
【０００３】
このような従来の換気空調装置では、ヒートポンプを利用して空調をするために構成部品として圧縮機があるが、圧縮機にはオイル切れや異常振動などを防止するため取付け角度の保証許容範囲（たとえば水平に対して０〜５°以内など）があり、本体の設置においてもこの保証範囲を遵守する必要がある。
【０００４】
また、ヒートポンプを利用した空調では、吸熱側の熱交換器にて冷媒を蒸発させるときに発生する気化熱を利用し空気を冷却するが、この際に空気中に含まれた水分が冷たくなった吸熱側の熱交換器にて結露し、結露水が発生する。
【０００５】
この結露水を放置しておくと、雑菌やカビなどが繁殖し風路構成によっては吹出し空気に混ざり室内に散乱することや、スライム状の汚泥物となり排水の妨げになることから漏水や凍結を引き起こす原因となっており、排水性能を確保するためには本体の取付け角度を規制しつつ、施工時に傾き調整することが重要である。
【０００６】
また、換気空調装置の多くは浴室（ユニットバスなど）の天井に平置きされ固定される据置き施工か、浴室の上部から吊り下げられた取付け用金具に固定する吊り下げ施工により設置される。
【０００７】
施工者は取付け角度の調整に計測用の機器（水平器など）を用いて行わなければならず、施工者が据置き施工の場合はユニットバスの天井形状に応じた取付け角度か感覚に頼った取付け角度となることがある。
【０００８】
また、設置箇所の多くは家屋の天井部分と浴室の天井部分の間の空間に設置され、取付け角度を確認するための本体の水平箇所は本体の外装部分であるため、計測用の機器（水平器など）を置くことが難しく、また置けたとしても確認するために覗き込むスペースがない状態での確認作業となる。更にこの作業は施工者が狭いスペースに潜り込む形でなければできず非常に困難を要し、時間を費やしているという課題がある。
【０００９】
本発明は、このような従来の課題を解決するものであり、本体の取付け角度を容易に確認することができる換気空調装置を提供することを目的としている。
【課題を解決するための手段】
【００１０】
本発明の換気空調装置は、上記目標を達成するため本体に圧縮機と凝縮コイルと減圧機構と蒸発コイルからなる冷凍サイクルと傾斜指示手段を備えたことを特徴とする。そして、本発明によれば本体の取付け角度を容易に確認することができる換気空調装置が得られる。
【００１１】
また、傾斜指示手段は重力にて垂直方向を示すものとしたこと特徴とする。
【００１２】
また、傾斜指示手段は本体の水平方向に対して１方向のみを示すことを特徴とする。
【００１３】
また、傾斜指示手段は本体の水平に対して２方向を同時に示すことを特徴とする。
【００１４】
また、設置工事やメンテナンスの際に外す必要のある脱着部材を傾斜指示手段の下方に取付けたことを特徴とする。
【００１５】
また、傾斜指示手段は水と少量の空気含んだ密閉容器からなる構成としたことを特徴とする。
【００１６】
また、取付け傾斜許容範囲を示す調整範囲手段を設けたことを特徴とする。
【００１７】
また、傾斜指示手段は傾斜角度を電気信号に変換し示すものとしたことを特徴とする。
【００１８】
また、傾斜指示手段より得られた取付け角度信号を表示する表示手段を設けたことを特徴とする。
【００１９】
また、傾斜指示手段より得られた取付け角度信号を音として伝達する発報手段を設けたことを特徴とする。
【００２０】
また、傾斜指示手段より得られた取付け角度信号を受信し、この信号を基に機器の発停を制御する制御手段を設けたことを特徴とする。
【発明の効果】
【００２１】
本発明によれば本体に圧縮機と凝縮コイルと減圧機構と蒸発コイルからなる冷凍サイクルと傾斜指示手段を備えたことにより、本体の取付け角度を容易に確認することができ、傾き調整をできることから、施工者の作業時間の短縮と圧縮機のオイル切れや異常振動などを抑制しつつ、排水性能も確保することができるという効果のある換気空調装置を提供できる。
【００２２】
また、傾斜指示手段は重力にて垂直方向を示すものとしたことにより、本体の取付け角度を容易に目視確認でき、傾き調整をできることから、施工者の作業時間の短縮と圧縮機のオイル切れや異常振動などを抑制しつつ、排水性能も確保することができるという効果のある換気空調装置を提供できる。
【００２３】
また、傾斜指示手段は本体の水平方向に対して１方向のみを示すものとしたことにより、傾斜指示手段の取付けに必要な容積を小さく抑えられ、簡単で安価な構成にて本体の取付け角度を確認することができ、傾き調整をできることから、施工者の作業時間の短縮と圧縮機のオイル切れや異常振動などを抑制しつつ、排水性能も確保することができるという効果のある換気空調装置を提供できる。
【００２４】
また、傾斜指示手段は本体の水平に対して２方向を同時に示すものとしたことにより、本体の前後左右方向の傾きを一度に調整することができ、施工者の作業時間の短縮と圧縮機のオイル切れや異常振動などを抑制しつつ、排水性能も確保することができるという効果のある換気空調装置を提供できる。
【００２５】
また、設置工事やメンテナンスの際に外す必要のある脱着部材を傾斜指示手段の下方に取付けたことにより、傾斜指示手段の可動勘合部の摩擦抵抗や外風などの影響を受け難くなり取付け角度の確認精度を向上することができ、設置工事やメンテナンス時に脱着部材の落下を防止し、脱着部材の破損、機器設置家屋の破損を抑制することができるという効果のある換気空調装置を提供できる。
【００２６】
また、傾斜指示手段は水と少量の空気含んだ密閉容器からなる構成としたことにより、傾斜指示手段の取付けに必要な垂直方向に対する容積を小さく抑えられ本体のコンパクト化を図ることができるという効果のある換気空調装置を提供できる。
【００２７】
また、傾斜許容範囲を示す調整範囲手段を設けたことにより、傾斜指示手段の示す取付け角度を調整範囲手段により示された調整範囲に調整することにより、正確で確実な本体の設置を容易に行うことができるという効果のある換気空調装置を提供できる。
【００２８】
また、傾斜指示手段は傾斜角度を電気信号に変換し示すものとしたことにより、取付け角度が人の感覚（視覚）に頼らず、また、作業者の技量にて変化しない安定した判断にて得られることで正確な取付け角度調整が可能となるという効果のある換気空調装置を提供できる。
【００２９】
また、傾斜指示手段より得られた取付け角度信号を表示する表示手段を設けたことにより、設置後確認が困難な状況下にあっても、視覚による確認によって取付け角度を容易に得ることができるという効果のある換気空調装置を提供できる。
【００３０】
また、傾斜指示手段より得られた取付け角度信号を音として伝達する発報手段を設けたことにより、視覚で確認できない設置状況であっても、発生音により取付け角度を調整することができるという効果のある換気空調装置を提供できる。
【００３１】
また、傾斜指示手段より得られた取付け角度信号を受信し、この信号を基に機器の発停を制御する制御手段を設けたことにより、信頼性を担保できない設置角度の場合は機器を停止させることで安定した機器の性能と信頼性を得ることができるという効果のある換気空調装置を提供できる。
【発明を実施するための最良の形態】
【００３２】
本発明の請求項１記載の発明は、本体に圧縮機と凝縮コイルと減圧機構と蒸発コイルからなる冷凍サイクルと傾斜指示手段を備えたものであり、傾斜指示手段により本体の取付け角度を得ることができるという作用を有する。
【００３３】
また、傾斜指示手段は重力にて垂直方向を示すものとしたこと特徴とするものであり、傾斜指示手段の示す方向により本体の取付け角度を得ることができるという作用を有する。
【００３４】
また、傾斜指示手段は本体の水平方向に対して１方向のみを示すことを特徴とするものであり、本体の前後方向もしくは左右方向の取付け角度を目視により得ることができるという作用を有する。
【００３５】
また、傾斜指示手段は本体の水平に対して２方向を同時に示すことを特徴とするものであり、本体の前後左右方向の取付け角度を目視で１度に得ることができるという作用を有する。
【００３６】
また、設置工事やメンテナンスの際に外す必要のある脱着部材を傾斜指示手段の下方に取付けたことを特徴とするものであり、重力が増すことで傾斜指示手段の示す方向指示の安定性を得ることができ、脱着部材の落下を防止することができるという作用を有する。
【００３７】
また、傾斜指示手段は水と少量の空気含んだ密閉容器からなる構成としたことを特徴とするものであり、傾斜指示手段の示す方向から目視により本体の取付け角度を知ることができるという作用を有する。
【００３８】
また、取付け傾斜許容範囲を示す調整範囲手段を設けたことを特徴とするものであり、傾斜指示手段の示す取付け角度と調整範囲手段が示す範囲とを比較確認することができるという作用を有する。
【００３９】
また、傾斜指示手段は傾斜角度を電気信号に変換し示すものとしたことを特徴とするものであり、一義的な判断の基に取付け角度を得ることができるという作用を有する。
【００４０】
また、傾斜指示手段より得られた取付け角度信号を表示する表示手段を設けたことを特徴とするものであり、取付け角度を視覚にて明確に確認できるという作用を有する。
【００４１】
また、傾斜指示手段より得られた取付け角度信号を音として伝達する発報手段を設けたことを特徴とするものであり、取付け角度を聴覚にて確認できるという作用を有する。
【００４２】
また、傾斜指示手段より得られた取付け角度信号を受信し、この信号を基に機器の発停を制御する制御手段を設けたことを特徴とするものであり、傾斜指示手段より得られた取付け角度信号が予め設定した角度から外れた場合には機器を停止することができるという作用を有する。
【００４３】
以下、本発明の実施の形態について図面を参照しながら説明する。
【００４４】
（実施の形態１）
本発明の実施の形態１の換気空調装置について図１および図２を参照しながら説明する。
【００４５】
図１は本発明の換気空調装置の一例を示すものであり、図２は本発明の傾斜指示手段１２の一例を示すものである。
【００４６】
図１に示すように、圧縮機１と凝縮コイル２と減圧機構３と蒸発コイル４とをつなぎ冷媒を通す冷凍配管５からなる冷凍サイクルと室内（例えば浴室）の空気を吸込口６から吸込み、蒸発コイル４を介して換気口７へと空気を換気する換気ファン８と、室内の空気を吸込口６から吸込み、凝縮コイル２を介して吹出口９から再度室内へと吹出す循環ファン１０と蒸発コイル４の下部に排水口１１と傾斜指示手段１２を備えた本体１３は、室内の天井に埋め込み設置（図示せず）されており、圧縮機１により高温高圧化された冷媒は冷凍配管５を通り凝縮コイル２にて循環ファン１０により室内から吸込まれた空気に熱を放熱し、減圧機構３へと移動し減圧され低温低圧となり蒸発コイル４へと移動し、換気ファン８により室内から吸込まれた空気の熱を吸収し圧縮機１へと戻る。
【００４７】
このように、換気口７から換気される空気から熱を吸収し、吹出口９から室内を循環する空気へ熱を放熱することで室内を空調する。
【００４８】
次に図２に示すように、平板の形状を用いた指示板１４の一端に固定部１５を設け、指示板１４の自重により常に水平方向に対して１方向のみの垂直方向を示す構成とした傾斜指示手段１２と固定部１５の垂直直下位置を含み予め許容する取付け角度範囲を示した調整範囲手段Ａ１６を本体１３に備えた構成とする。
【００４９】
上記構成により、傾斜指示手段１２の取付けに必要な容積を小さく抑えられ、簡単で安価な構成とした傾斜指示手段１２の示す方向により本体１３の前後方向もしくは左右方向に対する取付け角度を容易に目視確認しながら傾き調整をすることできるため、特に横置き型圧縮機１などように一方向のみの取付け傾きが規制されている場合に用いると良く、且つ、調整範囲手段Ａ１６が示す取付け角度許容範囲を確認しつつ本体１３の傾きを調整することができるため、正確で確実な本体１３の設置を容易に行うことができ、施工者の作業時間の短縮と圧縮機１のオイル切れや異常振動などを抑制しつつ、排水性能も確保することができる。
【００５０】
また、減圧機構３は冷媒の減圧をできれば良く、配管を細くして一定の減圧を実施するキャピラリーチューブや、減圧量を可変することができる膨張弁、更に電子制御を実現する電動膨張弁などがある。
【００５１】
また、冷媒の方向を一方向として説明したが、冷媒配管の途中に四方弁などを用いて凝縮コイル２と蒸発コイル４へ到達する冷媒の状態を逆にして、冷房と暖房を切換えても良いし、凝縮コイル２と蒸発コイル４を一ヶ所に設けたり、風路を切換えて凝縮コイル２と蒸発コイル４を両方通るようにし除湿する方式にしても良い。
【００５２】
また、排水口１１は蒸発コイル４の下部へ備えた構成としたが、冷媒方向を逆にした場合などは凝縮コイル２下部への構成となる。  すなわち冷媒が蒸発工程となるコイルの下部に位置するのが望ましい。
【００５３】
また、換気ファン８と循環ファン１０は別々のものとして説明したが、蒸発コイル４と凝縮コイル２へ空気を流す作用が得られれば良く、ひとつのファンを共用した構成や、ファンは本体１３内部に設けず別置きとした構成でも効果は変わらない。
【００５４】
（実施の形態２）
本発明の実施の形態２の換気空調装置について図３を参照しながら説明する。
【００５５】
なお、実施の形態２の説明において既に実施の形態１で説明した同一部品については同一符号を付与し説明を省略する。
【００５６】
図３は本発明の傾斜指示手段１２の一例を示すものである。
【００５７】
図３に示すように左右方向と共に前後方向にも可動が可能な鎖状の指示部１７の一端に固定部１５を設け、指示部１７の自重により常に水平方向に対して前後左右の２方向に対する垂直方向を示す構成とした傾斜指示手段１２と固定部１５の垂直直下位置を含み予め許容する取付け角度範囲を囲んだ調整範囲手段Ｂ１８を本体１３に備えた構成とする。
【００５８】
上記構成により傾斜指示手段１２の示す方向により本体１３の前後左右方向に対する取付け角度を一度に目視確認しながら傾き調整をすることでき、調整範囲手段Ｂ１８が示す取付け角度許容範囲を確認しつつ本体１３の傾きを調整することができるため、正確で確実な本体１３の設置を容易に行うことができ、施工者の作業時間の短縮と圧縮機１のオイル切れや異常振動などを抑制しつつ、排水性能も確保することができる。
【００５９】
（実施の形態３）
本発明の実施の形態３の換気空調装置について図４および図５を参照しながら説明する。
【００６０】
なお、実施の形態３の説明において既に実施の形態１および２で説明した同一部品については同一符号を付与し説明を省略する。
【００６１】
図４は本発明の実施の形態１にて説明した傾斜指示手段１２に脱着部材１９を取付けた一例を示すものである。
【００６２】
図４（ｂ）に示すように、傾斜指示手段１２の下方に設けられた取付部Ａ２０に脱着部材１９となる端子台カバーを取付けた構成とし、本体１３取付け角度を確認する際はこの状態にて確認する。
【００６３】
取付け角度確認後の通常使用時は、図４（ａ）に示すように、端子台カバーをネジ２１にて固定し本来の役割である端子台カバーとして機能する。
【００６４】
図５は本発明の実施の形態２にて説明した傾斜指示手段１２に脱着部材１９を取付けた一例を示すものである。
【００６５】
図５（ａ）に示すように、傾斜指示手段１２の下方に設けられた取付部Ｂ２２に脱着部材１９となる吸込みグリルを取付けた構成とし、本体１３取付け角度を確認する際はこの状態にて確認する。
【００６６】
取付け角度確認後の通常使用時は、図５（ｂ）に示すように、吸込みグリルを本体１３に取付けて固定し、本来の役割である吸込みグリルとして機能する。
【００６７】
上記構成により、傾斜指示手段１２の下方に取り付けられた脱着部材１９により、垂直方向への重力が増し、傾斜指示手段１２の示す方向指示の安定性を得ることができ、傾斜指示手段１２の可動勘合部の摩擦抵抗や外風などの影響を受け難くなり、取付け角度の確認精度を向上することができると共に、設置工事やメンテナンス時に取り外す脱着部材１９の機能を損なうことなく、脱着部材１９の不意な落下を防止し、脱着部材１９の破損、機器設置家屋の破損を抑制することができるという効果のある換気空調装置を提供できる。
【００６８】
また、脱着部材１９は設置工事やメンテナンスなどにて取り外すことがある換気空調装置の構成部材であれば良く、上記記載の他に空気清浄フィルターやファンなどがある。
【００６９】
（実施の形態４）
本発明の実施の形態４の換気空調装置について図６を参照しながら説明する。
【００７０】
なお、実施の形態４の説明において既に実施の形態１〜３で説明した同一部品については同一符号を付与し説明を省略する。
【００７１】
図６は本発明の傾斜指示手段１２の一例を示すものである。
【００７２】
図６に示すように、傾斜指示手段１２は内部に水２３と少量の空気２４含んだ密閉容器２５からなる構成とし、密閉容器２５の中心を含み予め許容する取付け角度範囲を示した調整範囲手段Ｃ２６を設け、本体１３の水平部分（図示せず）に取付ける構成とする。
【００７３】
上記構成により、傾斜指示手段１２の空気２４が示す方向から目視により、本体１３の前後左右方向に対する取付け角度を一度に目視確認しながら傾き調整をすることでき、調整範囲手段Ｃ２６が示す取付け角度許容範囲を確認しつつ本体１３の傾きを調整することができるため、正確で確実な本体１３の設置を容易に行うことができ、施工者の作業時間の短縮と圧縮機１のオイル切れや異常振動などを抑制しつつ、排水性能も確保することができ、傾斜指示手段１２の取付けに必要な垂直方向に対する容積を小さく抑えられ本体１３のコンパクト化を図ることができる。
【００７４】
（実施の形態５）
本発明の実施の形態５の換気空調装置について図７を参照しながら説明する。
【００７５】
なお、実施の形態５の説明において既に実施の形態１〜４で説明した同一部品については同一符号を付与し説明を省略する。
【００７６】
図７は本発明の換気空調装置の一例を示すものである。
【００７７】
図７に示すように、傾斜指示手段１２は傾斜角度を電気信号に変換し示す傾斜センサ（ジャイロセンサ）とし、この傾斜センサより得られた取付け角度信号を受信し、予め設定した角度から外れると表示をする表示手段２７としてＬＥＤを設け、また、傾斜センサより得られた取付け角度信号を受信し、この信号を基に機器の発停を制御する制御手段２８を本体１３に備えた構成とする。
【００７８】
上記構成により、本体１３の設置時表示手段２７の表示状態を確認しながら施工することにより、人の感覚にてあいまいな判断をすることなく、一義的な判断の基に取付け角度を明確に判断でき、作業者の技量にて変化しない安定、且つ正確な取付け角度調整が可能となる。
【００７９】
また、本体１３の設置箇所の空間が狭く、直接傾斜指示手段１２を確認できないような状況や、周囲が暗いなどといった設置後確認が困難な状況下にあっても、表示手段２７の発する光を頼りに取付け角度を容易に得ることができる。
【００８０】
また、傾斜指示手段１２より得られた取付け角度信号が予め設定した角度から外れた場合には機器を停止することができる制御手段２８を設けたので、施工者の不意な角度調整ミスが発生した場合や、本体１３の固定が緩み傾きが大きくなった場合には、機器を不動作とするため安定した機器の性能と信頼性を得ることができる。
【００８１】
また、実施の形態５において傾斜指示手段１２は傾斜センサを一例に説明をしたが、傾斜指示手段１２は傾斜角度を電気信号に変換できれば良く、傾斜角度にて可変するように構成した可変抵抗を用いてアナログ出力を用いるものや、反射型・透過型のフォトインタラプタを用たり、マグネット＋ホール素子を用いてデジタル出力を得るものでも良い。
【００８２】
また、表示手段２７はＬＥＤを一例に説明したが、表示手段２７は傾斜指示手段１２より得られた取付け角度信号を表示できれば良く、蛍光管、ネオンランプなどを用いても良いし、７セグメントＬＥＤやＬＣＤ、有機ＥＬなどを用いて意味を持つ表示（例えは傾斜角度を数値で表示）をしても良い。
【００８３】
（実施の形態６）
本発明の実施の形態６の換気空調装置について図８を参照しながら説明する。
【００８４】
なお、実施の形態６の説明において既に実施の形態１〜５で説明した同一部品については同一符号を付与し説明を省略する。
【００８５】
傾斜指示手段１２より得られた取付け角度信号を受け、予め設定した角度から外れると音として伝達する発報手段２９としてブザーを本体１３に備えた構成とする。
【００８６】
上記構成により、本体１３の設置時発報手段２９の発する音を確認しながら施工することにより、人の感覚にてあいまいな判断をすることなく、一義的な判断の基に取付け角度を明確に判断でき、作業者の技量にて変化しない安定、且つ正確な取付け角度調整が可能となる。
【００８７】
また、視覚で確認できない設置状況など設置箇所の状況を選ぶことなく、発生音により取付け角度を調整することができる。
【００８８】
また、発報手段２９はブザーを一例に説明したが、発報手段２９は傾斜指示手段１２より得られた取付け角度信号を音として伝達できれば良く、振動子などを用いて伝達しても良いし、スピーカなどを用いて意味を持つ音（例えは傾斜角度や判断状況を音声で伝達）をしても良い。
【産業上の利用可能性】
【００８９】
本発明の換気空調装置は、取付け角度を容易に確認できることを特徴としたものであり、ヒートポンプを利用した浴室の換気空調のみならず、リビング、寝室、キッチンあるいは洗面所等の換気空調装置にも適用することができる。
【図面の簡単な説明】
【００９０】
【図１】本発明の実施の形態１の換気空調装置を示すブロック図
【図２】同傾斜指示手段を示す斜視図
【図３】本発明の実施の形態２の傾斜指示手段を示す斜視図
【図４】本発明の実施の形態３の傾斜指示手段に脱着部材を取付けた状態を示す斜視図
【図５】同傾斜指示手段に脱着部材を取付けた状態を示す斜視図
【図６】本発明の実施の形態４の傾斜指示手段を示す斜視図
【図７】本発明の実施の形態５の換気空調装置を示すブロック図
【図８】本発明の実施の形態６の換気空調装置を示すブロック図
【符号の説明】
【００９１】
１    圧縮機
２    凝縮コイル
３    減圧機構
４    蒸発コイル
５    冷凍配管
６    吸込口
７    換気口
８    換気ファン
９    吹出口
１０  循環ファン
１１  排水口
１２  傾斜指示手段
１３  本体
１４  指示板
１５  固定部
１６  調整範囲手段Ａ
１７  指示部
１８  調整範囲手段Ｂ
１９  脱着部材
２０  取付部Ａ
２１  ネジ
２２  取付部Ｂ
２３  水
２４  空気
２５  密閉容器
２６  調整範囲手段Ｃ
２７  表示手段
２８  制御手段
２９  発報手段
【図１】
2009144981.tif 000003
【図２】
2009144981.tif 000004
【図３】
2009144981.tif 000005
【図４】
2009144981.tif 000006
【図５】
2009144981.tif 000007
【図６】
2009144981.tif 000008
【図７】
2009144981.tif 000009
【図８】
2009144981.tif 000010